(57)【要約】  本発明はトランキングシステムにおける呼出方法であって、発信者機器（ＵＥ）より呼出確立請求を提起し、宛先ＵＥが所在する位置領域を見つけて、前記位置領域及びその隣接位置領域において宛先ＵＥを呼び出すことを備えるトランキングシステムにおける呼出方法。本発明によれば、宛先ＵＥが各位置領域間に移動するときに、宛先ＵＥがその当面の位置情報を即時に報告するか否か、またはネットワーク側が宛先ＵＥの当面の位置を知るか否かを問わず、ネットワーク側が呼出範囲を自動的に拡大することから、ネットワーク側に当該ＵＥを一回で呼び出せる確率が大いに増えると共に、呼出遅延が短縮される。
2010510735.tif 000002
【特許請求の範囲】
【請求項１】
発信者機器ＵＥが呼出確立請求を提起し、宛先ＵＥが所在する位置領域を探し、前記位置領域及びその隣接位置領域において宛先ＵＥを呼出するステップ、
を備える、
ことを特徴とするトランキングシステムにおける呼出方法。
【請求項２】
発信ＵＥが所在する第１の無線ノードは、発信ＵＥが送信した呼出確立請求メッセージを受信するステップと、
宛先ＵＥが第１の無線ノードに位置する場合、第１の無線ノードはその格納した宛先ＵＥの情報に基づき宛先ＵＥが所在する位置領域を確定し、発信ＵＥへ呼出確立応答メッセージを送信するステップ、あるいは、宛先ＵＥが第２の無線ノードに位置する場合、ルータにより宛先ＵＥが所在する第２の無線ノードを見つけて、第１の無線ノードと第２の無線ノード間のリンクを確立して、呼出確立請求メッセージを第２の無線ノードに送信し、第２の無線ノードがその格納した宛先ＵＥの情報に基づき宛先ＵＥが所在する位置領域を確定するステップと、
に従って、宛先ＵＥが所在する位置領域を見つける、
ことを特徴とする請求項１に記載のトランキングシステムにおける呼出方法。
【請求項３】
宛先ＵＥが第１の無線ノードに位置する場合、
宛先ＵＥの所在する位置領域の隣接位置がその他の無線ノードに属すであれば、第１の無線ノードは前記隣接位置領域の情報及び前記呼出確立請求情報を相応の無線ノードに送信し、
第１の無線ノードは宛先ＵＥが所在する位置領域及び当該ノードに属す隣接位置領域において、前記その他のノードは相応の位置領域において、それぞれ宛先ＵＥを呼び出す、
ことを特徴とする請求項２に記載のトランキングシステムにおける呼出方法。
【請求項４】
宛先ＵＥは当面の位置において、その当面に所在する無線ノードに呼び出し応答メッセージを送信し、その無線ノードと移動性管理接続及び無線資源管理接続を確立するステップを更に備える、
ことを特徴とする請求項３に記載のトランキングシステムにおける呼出方法。
【請求項５】
前記当面の無線ノードが第１の無線ノードである場合、発信ＵＥと宛先ＵＥが通信を確立するステップ、
あるいは、
前記当面の無線ノードが第１の無線ノードではない場合、前記当面の無線ノードは呼出応答メッセージを第１の無線ノードに送信し、第１の無線ノードが前記当面の無線ノードとリンクを確立して、発信ＵＥと宛先ＵＥが通信を確立するステップ、
を更に備える、
ことを特徴とする請求項４に記載のトランキングシステムにおける呼出方法。
【請求項６】
宛先ＵＥが第２の無線ノードに位置する場合、
宛先ＵＥの所在する位置領域の隣接位置領域がその他の無線ノードに属すであれば、第２の無線ノードは前記隣接位置領域の情報及び前記呼出確立請求メッセージを相応の無線ノードに送信し、第２の無線ノードは宛先ＵＥの所在する位置領域及び当該ノードに属す隣接位置領域において、前記その他の無線ノードは相応の位置領域において、それぞれ宛先ＵＥを呼び出す、
ことを特徴とする請求項２に記載のトランキングシステムにおける呼出方法。
【請求項７】
宛先ＵＥは当面の位置において、その当面に所在する無線ノードに呼び出し応答メッセージを送信し、その無線ノードと移動性管理接続及び無線資源管理接続を確立するステップを更に備える、
ことを特徴とする請求項６に記載のトランキングシステムにおける呼出方法。
【請求項８】
前記当面の無線ノードが第２の無線ノードである場合、宛先ＵＥが通信を確立するステップ、
もしくは、前記当面の無線ノードが第１の無線ノードである場合、
第１の無線ノードと第２の無線ノードとの間のリンクをリリースして発信ＵＥの呼出確立を完成するステップ、
あるいは、
前記当面の無線ノードがその他のノードである場合、第２の無線ノードは前記当面の無線ノードの情報を第１の無線ノードに送信し、第１の無線ノードとの間のリンクをリリースし、第１の無線ノードは前記当面の無線ノードに呼出確立請求メッセージを送信し、前記当面の無線ノードに送信された呼出確立応答メッセージを受信してから、発信ＵＥの呼出確立を完成するステップ、
を更に備える、
ことを特徴とする請求項７に記載のトランキングシステムにおける呼出方法。
【請求項９】
発信ユーザ機器ＵＥに提出した呼出確立請求に基づき、宛先ＵＥの所在位置領域を探す調査手段と、
前記位置領域及びその隣接領域において宛先ＵＥを呼び出す呼出手段と、
を備える、
ことを特徴とするトランキングシステムにおける呼出装置である。
【請求項１０】
前記調査手段は、
発信ＵＥが送信した呼出確立請求メッセージを受信する受信手段と、
発信、宛先ＵＥが共に第１の無線ノードに属するか否かを判断する判断手段と、
発信、宛先ＵＥが共に第１の無線ノードに属す場合に、第１の無線ノードに格納した宛先ＵＥの情報に基づき宛先ＵＥの所在位置領域を確定し、発信ＵＥに呼出確立応答メッセージを送信するための同ノード調査手段と、
発信ＵＥが第１の無線ノード、宛先ＵＥが第２の無線ノードにそれぞれ属す場合に、ルータにより宛先ＵＥが所在する第２の無線ノードを見つけて、第１の無線ノードと第２の無線ノードとの間におけるリンクを確立し、第２の無線ノードに呼出確立請求メッセージを送信して、第２の無線ノードがその格納した宛先ＵＥの情報に基づき宛先ＵＥの所在位置領域を確定する相違ノード調査手段と、
を備える、
ことを特徴とする請求項９に記載のトランキングシステムにおける呼出装置。
【請求項１１】
前記呼出手段は、
宛先ＵＥの所在位置領域の隣接領域がその他の無線ノードに属すか否かを判断する位置領域判断手段と、
宛先ＵＥの所在位置領域の隣接領域がその他の無線ノードに属す場合に、前記隣接位置領域の情報及び前記呼出確立請求メッセージを前記その他の無線ノードに送信する通知手段と、
宛先ＵＥの所在位置領域及び宛先ＵＥの所在ノードの隣接位置領域において宛先ＵＥを呼び出し、前記その他の無線ノードに相応の位置領域において宛先ＵＥを呼出ように通知するＵＥ呼出手段と、
を備える、
ことを特徴とする請求項１０に記載のトランキングシステムにおける呼出装置。
【発明の詳細な説明】
【技術分野】
【０００１】
本発明は、トランキングシステムに関し、特にトランキングシステムにおける呼出方法に関する。
【背景技術】
【０００２】
トランキングシステムは高級なディスパッチモバイル通信システムである。トランキングシステムとは、システムの所有する利用可能なチャネルがシステムのユーザ全体に共有され、チャネルを自動に選択する機能を有し、資源をシェアして費用を分担して設備及びサービスを共有する多用性、高効性、及び低コスト性を持つ無線ディスパッチ通信システムである。トランキングシステムは速やかにコーリングを確立することが強く要され、そして適用されるユーザ群の特殊性から、コーリングの接続率に対しても非常に厳しく要されている。
【０００３】
トランキングシステムは大分が集中制御コーリングシステムであり、従来の移動インタネット、例え、グローバル移動通信システム（ＧＳＭ）ネットにおいて調達サブシステムを追加して実現されるものである。
【０００４】
最近、分布式のトランキングシステムを新たに提出されており、該システムは移動インタネットを介さず、独立したコーリングシステムを有している。該システムは図１に示すように、無線ノード（ＴＲＮ：Ｔｒｕｎｋｉｎｇ  Ｒａｄｉｏ  Ｎｏｄｅ）、調達センタ（ＴＤＣ：Ｔｒｕｎｋｉｎｇ  Ｄｉｓｐａｔｃｈｉｎｇ  Ｃｅｎｔｅｒ）、位置レジスタ（ＴＬＲ：Ｔｒｕｎｋｉｎｇ  Ｌｏｃａｔｉｏｎ  Ｒｅｇｉｓｔｅｒ）、管理台（ＡＳ、Ａｐｐｌｉｃａｔｉｏｎ  Ｓｅｒｖｉｃｅ）及び調達台を備え、更に、音声ゲートウェイ（ＶＧＷ：Ｖｏｉｃｅ  Ｇａｔｅｗａｙ）、データゲートウェイ（ＤＧＷ、Ｄａｔａ  Ｇａｔｅｗａｙ）及びトランキング相互接続ノード（ＴＩＮ：Ｔｒｕｎｋｉｎｇ  Ｉｎｔｅｒｗｏｒｋｉｎｇ  Ｎｏｄｅ）を備える。
【０００５】
ＴＲＮはそれが有する空中インタフェイスを介して、ユーザ機器（ＵＥ：Ｕｓｅｒ  Ｅｑｕｉｐｍｅｎｔ）をネットワークに接続させ、当該ＴＲＮに接続されたＵＥに移動性管理及びコーリング制御を行い、当該ＴＲＮに接続されたＵＥの関連情報をＴＤＣ、ＴＬＲ及びその他のＴＲＮに通知して、その他のＴＲＮから送信されたＵＥ情報を取得して格納する。ＴＤＣは調達台の調達によってネットワークにおけるＴＲＮ、ＴＬＲを介してＵＥに対する調達制御を行うものである。ＴＬＲはＵＥの関連情報を格納して、ＴＲＮに情報を提供し、ＴＲＮがＵＥに対する移動性管理に携わるものである。ＡＳはＴＬＲに格納したＵＥの関連情報について管理操作を行うものである。調達台はトランキング通信ネットワークにおけるＵＥについて、調達制御および業務管理を行う機器であり、主にトランキングコーリングの調達指揮を完成する。ＶＧＷはシステムにおけるＴＲＮ、ＴＤＣ、ＴＬＲと、公共電話交換ネット及び／又は公共陸上移動ネットとの相互接続及び音声通信を実現するものである。ＤＧＷはシステムにおけるＴＲＮ、ＴＤＣ、ＴＬＲと、外部の業務ネット／データサーバとの相互接続及びデータ通信を実現するものである。ＴＩＮは該システムにおける異なるトランキングネットワークの間のネット渡り通信を実現するものである。
【０００６】
移動インタネットにおいて、ネットワーク側はその格納した宛先ＵＥの位置領域／ローティング領域情報に基づいてそのＵＥに呼出する。しかし、ある特別な場合において、無線ネットワークの品質が悪いことや、ＵＥの所在位置領域／ローティング領域情報が変化してもＵＥが即時に通報していないことで、ネットワーク側はＵＥが呼び出されないことになる。
【０００７】
移動インタネットにおいて、二次呼出を採用することによって上記問題の発生を低減している。二次呼出とは、ネットワーク側はその格納した宛先ＵＥの位置領域／ローティング領域情報に基づいて、その位置領域／ローティング領域において宛先ＵＥを呼出し、宛先ＵＥが新しい位置領域／ローティング領域にすでに移動し且つ新たな位置情報をネットワーク側へ即時に通報していない場合、ネットワーク側は元の位置領域／ローティング領域においては宛先ＵＥが呼び出されないことになる。そのとき、ネットワーク側は呼出範囲を自動的に拡大して、元の位置領域／ローティング領域の隣接する位置領域／ローティング領域において宛先ＵＥに対して二次呼出を行うことによって、呼出成功率及び宛先との接続率が高まっている。
【０００８】
移動インタネットによってトランキングシステムユーザを呼び出す課題として、一次呼出を採用すれば、ユーザの呼出範囲に制限され、一つのみの位置領域／ローティング領域に対して行われることになり、二次呼出を採用すると、呼出の遅延が大きくなってしまう。そして、一次呼出でも二次呼出でも、同一コアネットの管轄位置領域／ローティング領域においてのみ呼び出すことになり、コアネット間渡りの呼出を実現できない。
【０００９】
また、分布式のトランキングシステムについても具体的な呼出方法が開示されていない。
【発明の概要】
【発明が解決しようとする課題】
【００１０】
そこで、本発明は分布式のトランキングシステムについて、呼出範囲を拡大し、呼出遅延を短縮させだけではなく、ＴＲＮ渡りの呼出を実現させ、ユーザの高速移動によるＴＲＮ渡りの呼出不可の課題も解決できる分布式のトランキングシステムにおける呼出方法及び装置を提供することを目的とする。
【課題を解決するための手段】
【００１１】
本発明は、上記課題に鑑でなされたもので、トランキングシステムにおける呼出方法であって、発信者機器ＵＥが呼出確立請求を提起し、宛先ＵＥが所在する位置領域を見つけて、前記位置領域及びその隣接位置領域において宛先ＵＥを呼出することを特徴とする呼出方法である。
【００１２】
より具体的には、発信ＵＥが所在する第１の無線ノードは、発信ＵＥが送信した呼出確立請求メッセージを受信するステップと、宛先ＵＥが第１の無線ノードに位置する場合、第１の無線ノードはその格納した宛先ＵＥの情報に基づき宛先ＵＥが所在する位置領域を確定し、発信ＵＥへ呼出確立応答メッセージを送信するステップ、あるいは、宛先ＵＥが第２の無線ノードに位置する場合、ルータにより宛先ＵＥが所在する第２の無線ノードを見つけて、第１の無線ノードと第２の無線ノード間のリンクを確立して、呼出確立請求メッセージを第２の無線ノードに送信し、第２の無線ノードがその格納した宛先ＵＥの情報に基づき宛先ＵＥが所在する位置領域を確定するステップと、に従って宛先ＵＥが所在する位置領域を見つけることを特徴とする上記トランキングシステムにおける呼出方法を提供する。
【００１３】
また、より具体的には、宛先ＵＥが第１の無線ノードに位置する場合、宛先ＵＥの所在位置領域の隣接位置がその他の無線ノードに属すのであれば、第１の無線ノードは前記隣接位置領域の情報及び前記呼出確立請求情報を相応の無線ノードに送信し、第１の無線ノードは宛先ＵＥが所在する位置領域及び当該ノードに属す隣接位置領域において、前記その他のノードは相応の位置領域において、それぞれ宛先ＵＥを呼び出すことを特徴とする上記のトランキングシステムにおける呼出方法を提供する。
【００１４】
また、より具体的には、宛先ＵＥは当面の位置において、その当面に所在する無線ノードに呼び出し応答メッセージを送信し、その無線ノードと移動性管理接続及び無線資源管理接続を確立するステップを更に備えることを特徴とする上記トランキングシステムにおける呼出方法を提供する。
【００１５】
さらに、より具体的には、前記当面の無線ノードが第１の無線ノードである場合、発信ＵＥと宛先ＵＥが通信を確立するステップ、あるいは、前記当面の無線ノードが第１の無線ノードではない場合、前記当面の無線ノードは呼出応答メッセージを第１の無線ノードに送信し、第１の無線ノードが前記当面の無線ノードとリンクを確立して、発信ＵＥと宛先ＵＥが通信を確立するステップを更に備えることを特徴とする上記トランキングシステムにおける呼出方法を提供する。
【００１６】
また、より具体的には、宛先ＵＥが第２の無線ノードに位置する場合、宛先ＵＥの所在位置領域の隣接位置領域がその他の無線ノードに属すのであれば、第２の無線ノードは前記隣接位置領域の情報及び前記呼出確立請求メッセージを相応の無線ノードに送信し、第２の無線ノードは宛先ＵＥの所在する位置領域及び当該ノードに属す隣接位置領域において、前記その他の無線ノードは相応の位置領域において、それぞれ宛先ＵＥを呼び出すことを特徴とする前記トランキングシステムにおける呼出方法を提供する。
【００１７】
また、より具体的には、宛先ＵＥは当面の位置において、その当面に所在する無線ノードに呼び出し応答メッセージを送信し、その無線ノードと移動性管理接続及び無線資源管理接続を確立するステップを更に備えることを特徴とする上記トランキングシステムにおける呼出方法を提供する。
【００１８】
また、より具体的には、前記当面の無線ノードが第２の無線ノードである場合、宛先ＵＥが通信を確立するステップ、もしくは、前記当面の無線ノードが第１の無線ノードである場合、第１の無線ノードと第２の無線ノードとの間のリンクをリリースして発信ＵＥの呼出確立を完成するステップ、あるいは、前記当面の無線ノードがその他のノードである場合、第２の無線ノードは前記当面の無線ノードの情報を第１の無線ノードに送信し、第１の無線ノードとの間のリンクをリリースし、第１の無線ノードは前記当面の無線ノードに呼出確立請求メッセージを送信し、前記当面の無線ノードに送信された呼出確立応答メッセージを受信してから、発信ＵＥの呼出確立を完成するステップを更に備えることを特徴とする上記トランキングシステムにおける呼出方法を提供する。
【００１９】
また、本発明は、上記方法の元に、発信ユーザ機器ＵＥに提出した呼出確立請求に基づき、宛先ＵＥの所在位置領域を探す調査手段と、前記位置領域及びその隣接領域に宛先ＵＥを呼び出す呼出手段と、を備えることを特徴とするトランキングシステムにおける呼出装置を提供する。
【００２０】
より具体的には、前記調査手段は、発信ＵＥが送信した呼出確立請求メッセージを受信する受信手段と、発信、宛先ＵＥが共に第１の無線ノードに属するか否かを判断する判断手段と、発信、宛先ＵＥが共に第１の無線ノードに属す場合に、第１の無線ノードに格納した宛先ＵＥの情報に基づき宛先ＵＥの所在位置領域を確定し、発信ＵＥに呼出確立応答メッセージを送信するための同ノード調査手段と、発信ＵＥが第１の無線ノード、宛先ＵＥが第２の無線ノードにそれぞれ属す場合に、ルータにより宛先ＵＥが所在する第２の無線ノードを見つけて、第１の無線ノードと第２の無線ノードとの間におけるリンクを確立し、第２の無線ノードに呼出確立請求メッセージを送信して、第２の無線ノードがその格納した宛先ＵＥの情報に基づき宛先ＵＥの所在位置領域を確定する相違ノード調査手段と、を備えることを特徴とする上記トランキングシステムにおける呼出装置を提供する。
【００２１】
さらに、より具体的には、前記呼出手段は、宛先ＵＥの所在位置領域の隣接領域がその他の無線ノードに属すか否かを判断する位置領域判断手段と、宛先ＵＥの所在位置領域の隣接領域がその他の無線ノードに属す場合に、前記隣接位置領域の情報及び前記呼出確立請求メッセージを前記その他の無線ノードに送信する通知手段と、宛先ＵＥの所在位置領域及び宛先ＵＥの所在ノードの隣接位置領域において宛先ＵＥを呼び出し、前記その他の無線ノードに相応の位置領域において宛先ＵＥを呼出ことを通知するＵＥ呼出手段と、を備えることを特徴とする上記トランキングシステムにおける呼出装置を提供する。
【発明の効果】
【００２２】
本発明によれば、発信ＵＥが呼出請求を発した際に、ネットワーク側は宛先ＵＥの所在位置領域を見つけてから、前記位置領域及びその隣接位置領域において宛先ＵＥを呼出する。これにより、宛先ＵＥが各位置領域間に移動されるときに、宛先ＵＥがその当面の位置情報を即時に通報するか否か、またはネットワーク側が宛先ＵＥの当面の位置を知るか否かを問わず、ネットワーク側が呼出範囲を自動的に拡大することから、ネットワーク側に当該ＵＥを一回で呼び出せる確率が大いに増えると共に、呼出遅延が短縮される。
【図面の簡単な説明】
【００２３】
【図１】トランキングシステムにおけるネットワーク構造の概要を示す図である。
【図２】実施例１のフローチャートである。
【図３】実施例２のフローチャートである。
【図４】実施例２のシグナルのフローチャートである。
【図５】実施例３のフローチャートである。
【図６】本発明に係る装置の構造の概要を示す図である。
【発明を実施するための形態】
【００２４】
本発明において、発信ＵＥが呼出請求を発したときに、ネットワーク側は宛先ＵＥが所在する位置領域を見つけてから、前記位置領域及びその隣接位置領域において宛先ＵＥを呼び出すことによって、呼出範囲を拡大して呼出遅延を短縮している。
【００２５】
ＵＥ１がＵＥ２を呼び出すときに、ＵＥ１は発信ＵＥでＵＥ２は宛先ＵＥとなり、ＵＥ１がＴＲＮ１に属す位置領域Ａ１、ＵＥ２がＴＲＮ２に属す位置領域Ｂ１にそれぞれ位置しており、位置領域Ｂ２、Ｂ３はＢ１の隣接位置領域であるとする。
【実施例１】
【００２６】
実施例１では、ＵＥ１とＵＥ２が同一のＴＲＮに位置し、即ちＴＲＮ１とＴＲＮ２が同一のＴＲＮである場合に、ＵＥ１がＵＥ２を呼び出す流れは図２に示すものとなる。
【００２７】
ステップ２０１において、ＵＥ１はＴＲＮ１に呼出確立請求メッセージを送信し、即ち発信ＵＥがネットワーク側へ呼出する。
【００２８】
ステップ２０２において、ＴＲＮ１はその呼出確立請求メッセージを受信すると、宛先ＵＥであるＵＥ２の番号を取得し、ＵＥ２が本ＴＲＮに属すことを判明すると、ＴＲＮ１はＵＥ１に対して呼出確立応答メッセージを送信すると共に、位置領域Ｂ１、Ｂ１の隣接位置領域Ｂ２、Ｂ３においてＵＥ２を呼び出すようにする。
【００２９】
ステップ２０３において、ＵＥ１は呼出確立応答メッセージを受信すると、ＴＲＮ１に対して呼出完成指示メッセージを送信する。
【００３０】
ステップ２０４において、ＵＥ２は呼出メッセージを受信し、ＴＲＮ１に対して呼出応答メッセージを送信する。
【００３１】
ステップ２０５において、ＴＲＮ１とＵＥ２の間にＭＭ及びＲＲ接続を確立する。
【００３２】
ステップ２０６において、ＵＥ１とＵＥ２の間に通信を確立して通話を行う。
【００３３】
実施例１では、位置領域Ｂ１、Ｂ２およびＢ３は共にＴＲＮ１に属しており、ＵＥ２が前記３つの位置領域に移動するときに、ＵＥ２がその当面の位置を即時に通報するか否かを問わず、ＴＲＮ１は前記３つの位置領域において直ちにＵＥ２を呼び出せられる。
【００３４】
位置領域Ｂ３がＴＲＮ１ではなくＴＲＮ３に属すれば、ＴＲＮ１は位置領域Ｂ３において直ちにＵＥ２を呼び出すことができない。そのときに、ＴＲＮ１は呼出確立請求メッセージと位置領域Ｂ３の情報をＴＲＮ３に送信し、ＴＲＮ３により位置領域Ｂ３においてＵＥ２を呼出する必要がある。
【００３５】
ネットワーク側は呼出を提起したときに、ＵＥ２が位置領域Ｂ３へ移動されると、ＴＲＮ３はＵＥ２からの呼出応答メッセージを受信し、ＵＥ２との間に移動性管理（ＭＭ、Ｍｏｂｉｌｉｔｙ  Ｍａｎａｇｅｍｅｎｔ）及び無線資源管理（ＲＲ、Ｒａｄｉｏ  Ｒｅｓｏｕｒｃｅ  Ｍａｎａｇｅｍｅｎｔ）接続を確立すると共に、呼出応答メッセージをＴＲＮ１に送信する。そのときに、ＴＲＮ１とＴＲＮ３がリンクされ、ＵＥ１とＵＥ２は通信を確立して通話を行うようになる。
【００３６】
実施例１からわかるように、ＵＥ２即ち宛先ＵＥが各位置領域間で移動されるときに、宛先ＵＥが当面位置の情報を即時に通報するか否か、ネットワーク側が宛先ＵＥの実際の当面位置を知るか否かを問わず、ネットワーク側が呼出範囲を自動的に拡大することから、ネットワーク側に当該ＵＥを一回で呼び出せる確率が大いに増えると共に、呼出遅延が短縮される。
【実施例２】
【００３７】
実施例２において、ＵＥ１とＵＥ２が相違のＴＲＮに位置し、即ちＴＲＮ１とＴＲＮ２が異なるＴＲＮであると、ＵＥ１がＵＥ２を呼び出す流れは図３に示すものとなる。
【００３８】
ステップ３０１において、ＵＥ１はＴＲＮ１に対して呼出確立請求メッセージを送信し、即ち発信ＵＥがネットワーク側に対して呼出を提起する。
【００３９】
ステップ３０２において、ローティング調査をし、ＴＲＮ１はＵＥ２がＴＲＮ２に位置することを判明し、ＴＲＮ２とリンクを確立する。
【００４０】
ステップ３０３において、ＴＲＮ１はＴＲＮ２に対して呼出確立請求メッセージを送信する。
【００４１】
ステップ３０４において、ＴＲＮ２はＴＲＮ１から送信された呼出確立請求メッセージを受信後、その他のＴＲＮに属す隣接位置領域が存在すると発見した場合に、呼出確立請求メッセージを当該隣接位置領域に属すＴＲＮに更に送信する必要がある。
【００４２】
例えば、ＴＲＮ２は位置領域Ｂ１の隣接位置領域Ｂ３がＴＲＮ３に属すと発見すると、呼出確立請求メッセージ及び位置領域Ｂ３の情報をＴＲＮ３に更に送信する。
【００４３】
ステップ３０５において、呼出確立請求メッセージを受信したＴＲＮは相応の位置領域においてＵＥ２を呼び出す。
【００４４】
位置領域Ｂ１、Ｂ２及びＢ３が共にＴＲＮ２に属せば、ＴＲＮ２のみは位置領域Ｂ１、Ｂ２及びＢ３においてＵＥ２を呼び出すが、位置領域Ｂ１、Ｂ２がＴＲＮ２に、位置領域Ｂ３がＴＲＮ３に属せば、ＴＲＮ３はＴＲＮ２から送信された呼出確立請求メッセージ及び位置領域Ｂ３の情報を受信するようになる。そのときに、ＴＲＮ２は位置領域Ｂ１、Ｂ２においてＵＥ２を呼び出すだけではなく、ＴＲＮ３も位置領域Ｂ３においてＵＥ２を呼出とする。
【００４５】
ステップ３０６において、ＵＥ２は呼出メッセージを受信したら、その当面に位置するＴＲＮに対して呼出応答メッセージを送信し、当面に位置するＴＲＮとの間にＭＭ及びＲＲ接続を確立する。
【００４６】
ＴＲＮ２の管轄位置領域でＵＥ２は呼出メッセージを受信する場合、ＴＲＮ２に対して呼出応答メッセージを送信し、ＴＲＮ２との間にＭＭ及びＲＲ接続を確立する。ＴＲＮ３が管轄する位置領域でＵＥ２は呼出メッセージを受信する場合、ＴＲＮ３に対して呼出応答メッセージを送信し、ＴＲＮ３との間にＭＭ及びＲＲ接続を確立する。
【００４７】
ステップ３０７において、呼出応答メッセージを受信したＴＲＮはその呼出応答メッセージをＴＲＮ２に送信する。
【００４８】
例え、ＴＲＮ３はＵＥ２から送信された呼出応答メッセージを受信したとすると、そのメッセージをＴＲＮ２に送信することによって、ＵＥ２がＴＲＮ３に位置することをＴＲＮ２に知らせる。
【００４９】
ステップ３０８において、ＴＲＮ２は呼出応答メッセージがその他のＴＲＮから送信されたか否かを判断する。
【００５０】
その他のＴＲＮから送信された場合に、ステップ３１０において、ＴＲＮ２は呼出ローティングの再割当過程を起こし、ＵＥ２が当面に位置するＴＲＮのアドレスをＴＲＮ１に送信すると共に、ＴＲＮ１とＴＲＮ２との間のリンクをリリースしてステップ３１１を実行する。
【００５１】
そうでない場合に、ステップ３０９において、ＵＥ１とＵＥ２は通信を確立して通話を行う。
【００５２】
ステップ３１１において、ＴＲＮ１はＵＥ２が実際に所在するＴＲＮに対して呼出確立請求を提起する。
【００５３】
ＵＥ２が実際に所在するＴＲＮはＴＲＮ３であるとすると、ＵＥ２よりＴＲＮ３に送信された呼出応答メッセージはＴＲＮ２に送信され、ＴＲＮ２によって呼出ローティングの再割当過程を起こし、ＴＲＮ３のアドレスをＴＲＮ１に送信すると共に、ＴＲＮ１とＴＲＮ２との間におけるリンクをリリースする。それから、ＴＲＮ１はＴＲＮ３に対して呼出確立請求を提起する。
【００５４】
ステップ３１２において、ＵＥ２が当面に位置するＴＲＮはＴＲＮ１の呼出確立請求に応答する。
【００５５】
ステップ３１３において、ＴＲＮ１はＵＥ１に対して呼出確立応答メッセージを送信し、ＵＥ１はＴＲＮ１に対して呼出完成指示メッセージを返信することによって、発信ＵＥの呼出確立を完成。
【００５６】
以上からわかるように、実施例２では、発信、宛先ＵＥが同一ＴＲＮに位置しなくても、ネットワーク側が宛先ＵＥを呼び出す原理は実施例１と全く同じで即ち呼出範囲を自動的に拡大しているので、ネットワーク側に当該ＵＥを一回で呼び出せる確率が大いに増えると共に、呼出遅延が短縮される。
【００５７】
実施例２では、ＵＥ２が所在する位置領域Ｂ１の隣接位置領域にはその他のＴＲＮに属すものがあり、かつＵＥ２がその隣接位置領域に移動後その当面位置を即時に通報していない場合には、そのときにおけるシグナルフローチャートは図４に示す。
【実施例３】
【００５８】
実施例３では、ＵＥ１とＵＥ２が相違のＴＲＮに位置し、呼び出す際にＵＥ２はＵＥ１が所在するＴＲＮであるＴＲＮ１に移動すると、ＵＥ１がＵＥ２を呼び出す流れは図５に示すものとなる。
【００５９】
ステップ５０１において、ＵＥ１はＴＲＮ１に対して呼出確立請求メッセージを送信し、即ち発信ＵＥがネットワーク側に対して呼出を提起する。
【００６０】
ステップ５０２において、ローティング調査をし、ＴＲＮ１はＵＥ２がＴＲＮ２に位置することと判明し、ＴＲＮ２とリンクを確立する。
【００６１】
ステップ５０３において、ＴＲＮ１はＴＲＮ２に対して呼出確立請求メッセージを送信する。
【００６２】
ステップ５０４において、ＴＲＮ２はＴＲＮ１から送信された呼出確立請求メッセージを受信後、その他のＴＲＮに属す隣接位置領域が存在すると発見した場合に、呼出確立請求メッセージを当該隣接位置領域に属すＴＲＮに更に送信する必要がある。
【００６３】
例えば、ＴＲＮ２は位置領域Ｂ１の隣接位置領域Ｂ３がＴＲＮ１に属すと発見すると、呼出確立請求メッセージ及び位置領域Ｂ３の情報をＴＲＮ１に更に送信する。
【００６４】
ステップ５０５において、呼出確立請求メッセージを受信したＴＲＮは相応の位置領域においてＵＥ２を呼び出す。
【００６５】
位置領域Ｂ１、Ｂ２及びＢ３が共にＴＲＮ２に属せば、ＴＲＮ２のみは位置領域Ｂ１、Ｂ２及びＢ３においてＵＥ２を呼び出すが、位置領域Ｂ１、Ｂ２がＴＲＮ２に、位置領域Ｂ３がＴＲＮ１に属せば、ＴＲＮ１はＴＲＮ２から送信された呼出確立請求メッセージ及び位置領域Ｂ３の情報を受信するようになる。そのときに、ＴＲＮ２は位置領域Ｂ１、Ｂ２においてＵＥ２を呼び出すだけではなく、ＴＲＮ１も位置領域Ｂ３においてＵＥ２を呼出とする。
【００６６】
ステップ５０６において、ＵＥ２は呼出メッセージを受信して、当面に位置するＴＲＮに対して呼出応答メッセージを送信し、相応のＴＲＮとの間にＭＭ及びＲＲ接続を確立する。
【００６７】
ＵＥ２はＴＲＮ２の管轄位置領域で呼出メッセージを受信した場合、ＴＲＮ２に対して呼出応答メッセージを送信してＴＲＮ２との間にＭＭ及びＲＲ接続を確立する。ＵＥ２はＴＲＮ１の管轄する位置領域で呼出メッセージを受信した場合、ＴＲＮ１に対して呼出応答メッセージを送信してＴＲＮ３とＭＭ及びＲＲ接続を確立する。
【００６８】
ステップ５０７において、ＴＲＮ１はＵＥ２から送信された呼出応答メッセージを受信すると、ＴＲＮ２に呼出ローティングの再割当を行うように通知する。
【００６９】
ＴＲＮ２はＴＲＮ１から送信されたローティング再割当通知を受信してから、ＴＲＮ１との間におけるリンクをリリースする。
【００７０】
ステップ５０８において、ＴＲＮ１はＵＥ１に対して呼出確立応答メッセージを送信し、ＵＥ１はＴＲＮ１に対して呼出完成指示メッセージを返信することによって、発信ＵＥの呼出確立を完成。
【００７１】
上記方法に基づき、本発明は  トランキングシステムにおける呼出装置を更に提供し、該装置の構造を図６に示しており、該装置には調査手段６１及び呼出手段６２を備える。調査手段６１には受信手段６１１、判断手段６１２、同一ノード調査手段６１３及び相違ノード調査手段６１４を備える。呼出手段６２は位置領域判断手段６２１、通知手段６２２及びＵＥ呼出手段６２３を備える。システムが運行する時に、あらゆるＴＲＮにその装置が備わり、発信ＵＥが呼び出す際に、前記装置は所在するＴＲＮに応じて相応機能を発揮している。
【００７２】
ＵＥ１がＵＥ２を呼び出すときに、ＵＥ１は発信ＵＥでＵＥ２は宛先ＵＥとなり、ＵＥ１がＴＲＮ１に属す位置領域Ａ１、ＵＥ２がＴＲＮ２に属す位置領域Ｂ１にそれぞれ位置しており、位置領域Ｂ２、Ｂ３はＢ１の隣接位置領域であるとする。
【００７３】
ＵＥ１がネットワーク側に対して呼出確立請求メッセージを送信すると、ＴＲＮ１において前記呼出装置における調査手段６１によってＵＥ１に提起された呼出確立請求メッセージに基づき、宛先ＵＥであるＵＥ２が所在する位置領域を探すと共に、呼出手段６２に通じてＵＥ２の所在位置領域及びその隣接位置領域においてＵＥ２を呼び出すようにする。
【００７４】
ＵＥ１がネットワーク側に対して呼出確立請求メッセージを送信するときに、前記装置は受信手段６１１によってＵＥ１に送信された呼出確立請求メッセージをＴＲＮ１で受信すると共に、判断手段６１２によりＵＥ１とＵＥ２が共に同一の無線ノードに属すか否かを判断する。
【００７５】
ＵＥ１とＵＥ２が同一のＴＲＮにある場合、即ちＴＲＮ１とＴＲＮ２が同一のＴＲＮである場合には、同一ノード調査手段６１３はＴＲＮ１で格納したＵＥ２の情報に基づきＵＥ２が所在する位置領域である位置領域Ｂ１を取得し、ＵＥ１に対して呼出確立応答メッセージを送信する。
【００７６】
その後、前記呼出装置は位置領域判断手段６２１によって位置領域Ｂ１の隣接位置領域である位置領域Ｂ２とＢ３はその他のＴＲＮに属すか否かを判断する。隣接位置領域の中、その他のＴＲＮに属すものがあれば、仮に位置領域Ｂ３がその他のＴＲＮに位置すると、通知手段６２２によって位置領域Ｂ３が所属するＴＲＮにその位置領域Ｂ３の情報及びＵＥ１から送信された呼出確立請求メッセージを送信する。
【００７７】
最後に、前記呼出装置はＵＥ呼出手段６２３によって位置領域Ｂ１及びその隣接位置領域Ｂ２においてＵＥ２を呼び出すようにし、位置領域Ｂ３の所属ＴＲＮに位置領域Ｂ３においてＵＥ２を呼び出すように通知する。
【００７８】
ＵＥ１とＵＥ２が同一のＴＲＮに位置しなく、即ちＴＲＮ１とＴＲＮ２が同一のＴＲＮではない場合に、相違ノード調査手段６１４はローティング調査でＵＥ２の所在ＴＲＮ２を見つけて、ＴＲＮ１とＴＲＮ２との間のリンクを確立し、ＴＲＮ２に呼出確立請求メッセージを送信し、ＴＲＮ２はその格納したＵＥ２の情報に基づきＵＥ２の所在位置領域である位置領域Ｂ１を判明する。
【００７９】
ＴＲＮ２において、前記呼出装置は位置領域判断手段６２１によって位置領域Ｂ１の隣接位置領域である位置領域Ｂ２、Ｂ３にその他のＴＲＮに属すものがあるか否かを判断する。隣接位置領域にその他のＴＲＮに属すものが存在する場合に、位置領域Ｂ３がその他のＴＲＮに位置すると仮定すれば、通知手段６２２によって位置領域３の情報及びＵＥ１に送信された呼出確立請求メッセージを位置領域Ｂ３の所属ＴＲＮに送信する。
【００８０】
その後、前記呼出装置はＵＥ呼出手段６２３によって位置領域Ｂ１及び隣接位置領域Ｂ２においてＵＥ２を呼び出し、位置領域Ｂ３の所属ＴＲＮに位置領域Ｂ３においてＵＥ２を呼び出すように通知する。
【００８１】
以上からわかるように、ＵＥ２が各位置領域の間で移動されるときに、ＵＥ２がその当面位置情報を即時に通報するか否か、またはネットワーク側がＵＥ２の当面位置を知るか否かを問わず、ネットワーク側が呼出範囲を自動的に拡大することから、ネットワーク側に当該ＵＥを一回で呼び出せる確率が大いに増える。
【００８２】
以上に記載した実施例は本発明を実施するための最良の形態に過ぎなく、本発明はこれらに限られることはない。本発明の要旨や原則を違反しない限り、施したいかなる変更、均等置換、改良などは、本発明の保護範囲に属すものである。
【００８３】
本発明は、２００６年１１月２４日、中国特許局に提出した出願番号が２００６１０１４４０６７．８である中国特許出願「トランキングシステムにおける呼出方法及びその装置」の優先権を要求し、引用によって該中国特許出願の全部内容が本出願に入れ込まれるものとする。
【図１】
2010510735.tif 000003
【図２】
2010510735.tif 000004
【図３】
2010510735.tif 000005
【図４】
2010510735.tif 000006
【図５】
2010510735.tif 000007
【図６】
2010510735.tif 000008
【国際調査報告】
2010510735.tif 000009
2010510735.tif 000010
2010510735.tif 000011
2010510735.tif 000012